(57)【要約】  【課題】  電池を交換する際の作業性を向上することのできる電子機器を提供する。  【解決手段】  電子機器１は、異なる種類の電池を収納可能であり機器本体２に着脱可能に取り付けられる電池収納ボックス３と、電池収納ボックス３を収納するボックス収納部４を備える。ボックス収納部４は、電池収納ボックス３に収納した電池の側方の壁部に設けられた正端子９を備え、電池収納ボックス３は、ボックス固定位置とボックス着脱位置との間でスライド可能である。正端子９は、電池収納ボックス３を取り外し方向へ付勢する弾性体で構成されており、機器本体２には、電池収納ボックス３をボックス固定位置にしたときに、弾性力に抗して電池収納ボックス３を押さえるための押さえ部２２が設けられている。【選択図】  図１
2010165541.tif 000002
【特許請求の範囲】
【請求項１】
機器本体に着脱可能に取り付けられ、異なる種類の電池を収納可能な電池収納ボックスと、
前記機器本体に設けられ、前記電池収納ボックスを収納するボックス収納部と、
を備えた電子機器において、
前記ボックス収納部は、前記電池収納ボックスに収納した電池の側方の壁部に設けられた正端子を備えており、
前記電池収納ボックスは、前記電池収納ボックスが前記機器本体に対して固定されるボックス固定位置と、前記電池収納ボックスを前記機器本体に着脱することが可能なボックス着脱位置との間で移動可能であり、
前記正端子は、前記電池収納ボックスを取り外し方向へ付勢する弾性体で構成されており、
前記機器本体には、前記電池収納ボックスを前記ボックス固定位置にしたときに、前記弾性体の弾性力に抗して前記電池収納ボックスを押さえるための押さえ部が設けられていることを特徴とする電子機器。
【請求項２】
前記押さえ部は、前記正端子が設けられた壁部に設けられた突片部であり、
前記電池収納ボックスには、前記ボックス着脱位置のときに前記突片部が通過可能なスリットが設けられ、
前記スリットは、前記電池収納ボックスを反対側にして前記ボックス収納部へ収納するときに前記正端子が通過するように構成されていることを特徴とする請求項１に記載の電子機器。
【請求項３】
前記電池収納ボックスと前記電池収納ボックスを覆うカバーには、前記カバーを閉めるときに互いに接触する斜面部がそれぞれ設けられており、
前記斜面部は、前記カバーを閉める向きの力を、前記ボックス着脱位置から前記ボックス固定位置へ前記電池収納ボックスを移動させる向きの力に変換するように構成されていることを特徴とする請求項１または請求項２のいずれかに記載の電子機器。
【請求項４】
前記ボックス収納部の壁部には、前記電池収納ボックスを固定するための固定ガイド部が設けられており、
前記電池収納ボックスが前記ボックス着脱位置のときには、前記固定ガイド部と前記電池収納ボックスとの間に遊びが設けられており、
前記電池収納ボックスが前記ボックス固定位置のときには、前記固定ガイド部と前記電池収納ボックスとの間に遊びが設けられていないことを特徴とする請求項１ないし請求項３のいずれかに記載の電子機器。
【発明の詳細な説明】
【技術分野】
【０００１】
本発明は、様々な種類の電池を収納可能な電池収納ボックスを備えた電子機器に関するものである。
【背景技術】
【０００２】
従来、様々な種類の電池（単一電池、単二電池、単三電池など）を収納可能な装置が知られている（例えば特許文献１参照）。この従来の装置には、二つの収納領域（第一収納領域および第二収納領域）と二つの保持部材（第一保持部材および第二保持部材）が設けられている。
【０００３】
従来の装置において、単一電池を収納する場合には、二つの保持部材を第二収納領域へ移動させて第一収納領域を空けた状態にし、その第一収納領域に単一電池を収納する。また、単二電池を収納する場合には、二つの保持部材を第一収納領域へ移動させて第二収納領域を空けた状態にし、その第二収納領域に単二電池を収納する。そして、単三電池を収納する場合には、二つの保持部材を第一収納領域へ移動させ、第二収納領域に単三電池を収納するとともに、その二つの保持部材を用いて単三電池を保持する。
【特許文献１】特開２００７−５３０４７号公報
【発明の開示】
【発明が解決しようとする課題】
【０００４】
しかしながら、従来の装置においては、保持部材（第一保持部材および第二保持部材）などの細かい部品点数が多いので、その分だけ部品コストが高くなるという問題があった。また、異なる種類の電池に交換するときには、二つの保持部材を二つの収納領域間で移動させる必要があり、電池を交換する際の作業に手間がかかるという問題があった。特に、単三電池を収納するときには、二つの保持部材によって単三電池を保持する必要があり、電池を収納する際の作業に手間がかかるという問題があった。
【０００５】
本発明は、上記従来の問題を解決するためになされたもので、電池を交換する際の作業性を向上することのできる電子機器を提供することを目的とする。
【課題を解決するための手段】
【０００６】
本発明の電子機器は、機器本体に着脱可能に取り付けられ、異なる種類の電池を収納可能な電池収納ボックスと、前記機器本体に設けられ、前記電池収納ボックスを収納するボックス収納部と、を備えた電子機器において、前記ボックス収納部は、前記電池収納ボックスに収納した電池の側方の壁部に設けられた正端子を備えており、前記電池収納ボックスは、前記電池収納ボックスが前記機器本体に対して固定されるボックス固定位置と、前記電池収納ボックスを前記機器本体に着脱することが可能なボックス着脱位置との間で移動可能であり、前記正端子は、前記電池収納ボックスを取り外し方向へ付勢する弾性体で構成されており、前記機器本体には、前記電池収納ボックスを前記ボックス固定位置にしたときに、前記弾性体の弾性力に抗して前記電池収納ボックスを押さえるための押さえ部が設けられた構成を有している。
【０００７】
この構成により、電池収納ボックスをボックス着脱位置にしたときには、正端子の弾性力によって電池収納ボックスが取り外し方向へ付勢されるので、電池収納ボックスの取り外しが容易になる。一方、電池収納ボックスをボックス固定位置にしたときには、電池収納ボックスが押さえ部によって押さえられ、機器本体に対してしっかり固定される。
【０００８】
また、本発明の電子機器では、前記押さえ部は、前記正端子が設けられた壁部に設けられた突片部であり、前記電池収納ボックスには、前記ボックス着脱位置のときに前記突片部が通過可能なスリットが設けられ、前記スリットは、前記電池収納ボックスを反対側にして前記ボックス収納部へ収納するときに前記正端子が通過するように構成されている。
【０００９】
この構成により、電池収納ボックスをボックス着脱位置にしてボックス収納部に収納するときには、突片部がスリットを通り、突片部が電池収納ボックスに干渉するのを防ぐことができる。そして、電池収納ボックスをボックス固定位置にしたときには、この突片部によって電池収納ボックスが押さえられる。また、電池収納ボックスを反対側にしてボックス収納部へ収納するときには、このスリットを正端子が通り、正端子が電池収納ボックスに干渉するのを防ぐことができる。
【００１０】
また、本発明の電子機器では、前記電池収納ボックスと前記電池収納ボックスを覆うカバーには、前記カバーを閉めるときに互いに接触する斜面部がそれぞれ設けられており、
前記斜面部は、前記カバーを閉める向きの力を、前記ボックス着脱位置から前記ボックス固定位置へ前記電池収納ボックスを移動させる向きの力に変換するように構成されている。
【００１１】
この構成により、電池収納ボックスのカバーを閉める力を利用して、電池収納ボックスをボックス着脱位置からボックス固定位置へ移動させることができる。したがって、カバーを閉めるだけで、電池収納ボックスを機器本体に対して固定することができる。そのため、例えば、電池収納ボックスをボックス固定位置へ移動させるのを忘れてしまったときでも、カバーを閉めると自動的に電池収納ボックスをボックス固定位置へ移動させることができる。
【００１２】
また、本発明の電子機器では、前記ボックス収納部の壁部には、前記電池収納ボックスを固定するための固定ガイド部が設けられており、前記電池収納ボックスが前記ボックス着脱位置のときには、前記固定ガイド部と前記電池収納ボックスとの間に遊びが設けられており、前記電池収納ボックスが前記ボックス固定位置のときには、前記固定ガイド部と前記電池収納ボックスとの間に遊びが設けられていない構成を有している。
【００１３】
この構成により、電池収納ボックスをボックス着脱位置にしたときには、ボックス収納部の壁部と電池収納ボックスとの間に遊びが設けられ、電池収納ボックスを容易に取り外すことができる。一方、電池収納ボックスをボックス固定位置にしたときには、ボックス収納部の壁部と電池収納ボックスとの間に遊びがなくなり、電池収納ボックスが機器本体に対してしっかり固定される。
【発明の効果】
【００１４】
本発明は、ボックス固定位置では電池収納ボックスが機器本体に対してしっかり固定され、ボックス着脱位置では電池収納ボックスの取り外しが容易であり、電池を交換する際の作業性が向上するという効果を有する電子機器を提供することができるものである。
【発明を実施するための最良の形態】
【００１５】
以下、本発明の実施の形態の電子機器について、図面を用いて説明する。本実施の形態では、災害時用のラジオ装置等として用いられる電子機器の場合を例示する。
【００１６】
（第１の実施の形態）
本発明の実施の形態の電子機器の構成を図１〜図１５を用いて説明する。図１は、本実施の形態の電子機器の分解斜視図である。図１に示すように、電子機器１の機器本体２には、電池収納ボックス３を収納するためのボックス収納部４が凹設されており、ボックス収納部４の上側には、収納した電池収納ボックス３を覆うためのカバー５が取り付けられている。この電池収納ボックス３は、異なる種類の電池（単一電池６、単二電池７、単三電池８）を収納可能であり、機器本体２のボックス収納部４に着脱可能に取り付けられている。
【００１７】
ここでは、まず、機器本体２のボックス収納部４の構成について、図面を参照して説明する。図２に示すように、ボックス収納部４の側壁（収納した電池の側方の壁部）には、一つの正端子９が設けられている。この正端子９は、三つの電池（単一電池６、単二電池７、単三電池８）で共用される。また、図４に示すように、ボックス収納部４の端側の壁部には、二つの負端子（単一単二用の負端子１０と単三用の負端子１１）が並設されている。これらの負端子１０、１１は、電池の負極側の壁部に設けられているともいえる。
【００１８】
つぎに、電池収納ボックス３の構成について、図面を参照して説明する。図１および図２に示すように、電池収納ボックス３には、単一電池６を収納するための単一電池収納部１２が凹設されている。この例では、単一電池収納部１２に、二つの単一電池６が直列の状態で収納される（図４参照）。また、単一電池収納部１２の上面は、単一電池６の外周形状（円筒形状）に沿った凹形状を有している。
【００１９】
図２に示すように、単一電池収納部１２の一方の壁部（単一電池６の正極側の壁部）には、単一電池６の長さに応じた位置に単一用接続端子１３が設けられている。単一電池収納部１２に収納された単一電池６の正極は、この単一用接続端子１３を介して、ボックス収納部４の正端子９に電気的に接続する。
【００２０】
単一電池収納部１２の他方の壁部（単一電池６の負極側の壁部）には、単一電池６の径に応じた大きさの単一用切欠き部１４が設けられている（図２参照）。図４に示すように、単一電池収納部１２に収納された単一電池６の負極は、この単一用切欠き部１４を通り抜けて外側に突出して、ボックス収納部４の単一単二用の負端子１０に電気的に接続する。
【００２１】
また、図６および図７に示すように、電池収納ボックス３の単一電池収納部１２の反対側の面（裏側の面）には、単二電池７を収納するための単二電池収納部１５と、単三電池８を収納するための単三電池収納部１６が並設されている。この例では、単二電池収納部１５に、二つの単二電池７が直列の状態で収納される（図９参照）。あるいは、単三電池収納部１６に、二つの単三電池８が直列の状態で収納される（図１２参照）。単二電池収納部１５の上面は、単二電池７の外周形状（円筒形状）に沿った凹形状を有しており、また、単三電池収納部１６の上面は、単三電池８の外周形状（円筒形状）に沿った凹形状を有している。さらに、単三電池収納部１６の上部には、収納した単三電池８を上側から押さえるための押さえリブ１７が設けられている。
【００２２】
図７に示すように、単二電池収納部１５の一方の壁部（単二電池７の正極側の壁部）には、単二電池７の長さに応じた位置に単二用接続端子１８が設けられている。単二電池収納部１５に収納された単二電池７の正極は、この単二用接続端子１８を介して、ボックス収納部４の正端子９に電気的に接続する。
【００２３】
単二電池収納部１５の他方の壁部（単二電池７の負極側の壁部）には、単二電池７の径に応じた大きさの単二用切欠き部１９が設けられている（図７参照）。図９に示すように、単二電池収納部１５に収納された単二電池７の負極は、この単二用切欠き部１９を通り抜けて突出して、ボックス収納部４の単一単二用の負端子１０に電気的に接続する。
【００２４】
また、図７に示すように、単三電池収納部１６の一方の壁部（単三電池８の正極側の壁部）には、単三電池８の長さに応じた位置に単三用接続端子２０が設けられている。単三電池収納部１６に収納された単三電池８の正極は、この単三用接続端子２０を介して、ボックス収納部４の正端子９に電気的に接続する。
【００２５】
単三電池収納部１６の他方の壁部（単三電池８の負極側の壁部）には、単三電池８の径に応じた大きさの単三用切欠き部２１が設けられている（図７参照）。図１２に示すように、単三電池収納部１６に収納された単三電池８の負極は、この単三用切欠き部２１を通り抜けて突出して、ボックス収納部４の単三用の負端子１１に電気的に接続する。
【００２６】
この電池収納ボックス３では、単一電池収納部１２の負極側の壁部（単一電池６の負極側の壁部）は、単二電池収納部１５の負極側の壁部（単二電池７の負極側の壁部）と共通であり、単一電池収納部１２の正極側の壁部（単一電池６の正極側の壁部）は、単二電池収納部１５の正極側の壁部（単二電池７の正極側の壁部）と共通である。つまり、単一用切欠き部１４（単一電池収納部１２の負極側の壁部に設けられる）と単二用切欠き部１９（単二電池収納部１５の負極側の壁部に設けられる）は、互いに反対側の壁部（対向する壁部）に設けられている（図１参照）。
【００２７】
また、図１４に示すように、単一電池収納部１２の単一電池収納用の空間は、単二電池収納部１５の単二電池収納用の空間と一部の空間を共有している。つまり、単一電池収納部１２の単一電池収納用の空間と単二電池収納部１５の単二電池収納用の空間とが、互いに一部重複しているともいえる。この場合、単一電池収納部１２の中心と単二電池収納部１５の中心は、縦方向（図１４の上下方向）で同じ位置に設定されており、一つの負端子（単一単二用の負端子１０）を共用できるように構成されている。
【００２８】
また、図１５に示すように、単二電池収納部１５の単二電池収納用の空間は、単三電池収納部１６の単三電池収納用の空間と一部の空間を共有している。つまり、単二電池収納部１５の単二電池収納用の空間と単三電池収納部１６の単二電池収納用の空間とが、互いに一部重複しているともいえる。この場合、単三電池用の負端子１１の高さ位置は、単一単二用の負端子１０の高さ位置よりもレベル差Ｌだけ低く設定されており、その分、単三電池収納部１６の上面の凹形状の中心角は大きく設定されている。
【００２９】
以上のように構成された電子機器１について、図１〜図１３を用いてその動作を説明する。
【００３０】
ここでは、まず、図１〜図５を参照して、単一電池６を収納するときの動作について説明する。単一電池６を収納するときには、図２に示すように、単一電池収納部１２を上側に向けて、電池収納ボックス３を機器本体２のボックス収納部４に収納する。そして、図３に示すように、電池収納ボックス３の単一電池収納部１２に、二つの単一電池６を直列の状態で収納する（図４参照）。単一電池収納部１２に収納された状態では、単一電池６の負極は、電池収納ボックス３の単一用切欠き部１４から突出して、ボックス収納部４の単一単二用の負端子１０に直接接続する。また、単一電池６の正極は、電池収納ボックス３の単一用接続端子１３に接続し、この単一用接続端子１３を介してボックス収納部４の正端子９に電気的に接続する。
【００３１】
つぎに、図６〜図１０を参照して、単二電池７を収納するときの動作について説明する。単二電池７を収納するときには、図７に示すように、単二電池収納部１５を上側に向けて、電池収納ボックス３を機器本体２のボックス収納部４に収納する。単一電池６から単二電池７に交換するときには、電池収納ボックス３を裏返して収納する。そして、図８に示すように、電池収納ボックス３の単二電池収納部１５に、二つの単二電池７を直列の状態で収納する（図９参照）。単二電池収納部１５に収納された状態では、単二電池７の負極は、電池収納ボックス３の単二用切欠き部１９から突出して、ボックス収納部４の単一単二用の負端子１０に直接接続する。また、単二電池７の正極は、電池収納ボックス３の単二用接続端子１８に接続し、この単二用接続端子１８を介してボックス収納部４の正端子９に電気的に接続する。
【００３２】
つぎに、図１１〜図１３を参照して、単三電池８を収納するときの動作について説明する。単三電池８を収納するときには、単三電池収納部１６を上側に向けて、電池収納ボックス３を機器本体２のボックス収納部４に収納する。単二電池７から単三電池８に交換するときには、電池収納ボックス３はそのままでよい。そして、図１１に示すように、電池収納ボックス３の単三電池収納部１６に、二つの単三電池８を直列の状態で収納する（図１２参照）。単三電池収納部１６に収納された状態では、単三電池８の負極は、電池収納ボックス３の単三用切欠き部２１から突出して、ボックス収納部４の単三用の負端子１１に直接接続する。また、単三電池８の正極は、電池収納ボックス３の単三用接続端子２０に接続し、この単三用接続端子２０を介してボックス収納部４の正端子９に電気的に接続する。
【００３３】
このような本発明の実施の形態の電子機器１によれば、機器本体２のボックス収納部４の側方の壁部に正端子９を設け、電池収納ボックス３の単一用接続端子１３と単二用接続端子１８の位置を単一電池６と単二電池７の長さに応じて設定することにより、部品点数を低減することができ、電池を交換する際の作業性を向上することができる。
【００３４】
すなわち、本実施の形態では、一つの電池収納ボックス３で、寸法（長さや径）の異なる二つの電池（単一電池６と単二電池７）を収納することができる。この場合、機器本体２のボックス収納部４の側方の壁部に正端子９が設けられ、電池収納ボックス３の単一用接続端子１３と単二用接続端子１８の位置が、それぞれ単一電池６と単二電池７の長さに応じて設定されている。これにより、長さの異なる電池（単一電池６と単二電池７）に容易に対応することができる。また、電池収納ボックス３は機器本体２から着脱可能であり、単一電池収納部１２と単二電池収納部１５は電池収納ボックス３の互いに反対側の面（裏側の面）に形成されている。したがって、異なる電池に交換するときには、電池収納ボックス３を機器本体２から取り外して反対側に裏返すだけでよく、電池を交換する際の作業性が向上する。また、従来に比べて部品点数が少なくて済む。
【００３５】
また、本実施の形態では、単一電池収納部１２に単一電池６を収納すると、単一用切欠き部１４から突出して負端子１０に接触するようになり、単二電池収納部１５に単二電池７を収納すると、単二用切欠き部１９から突出して負端子１１に接触するようになる。これにより、径の異なる電池（単一電池６と単二電池７）に対応することができる。
【００３６】
また、本実施の形態では、単一用切欠き部１４（単一電池収納部１２の負極側の壁部に設けられる）と単二用切欠き部１９（単二電池収納部１５の負極側の壁部に設けられる）が、電池収納ボックス３の異なる壁部に設けられる。これにより、電池収納ボックス３の構造的な強度が高くなる。
【００３７】
また、本実施の形態では、単一電池６と単二電池７を同時に収納しようとすると、その二つの電池が互いに干渉（衝突）する。これにより、異なる種類の電池（単一電池６と単二電池７）を同時に使用するのを防ぐことができる。また、単一電池収納部１２と単二電池収納部１５で空間を共有することにより、省スペース化や小型化を図ることができる。
【００３８】
また、本実施の形態では、寸法（長さや径）の異なる三つの電池（単一電池６と単二電池７と単三電池８）を収納することができる。また、この場合、単二電池７と単三電池８を同時に収納しようとすると、その二つの電池が互いに干渉（衝突）する。これにより、異なる種類の電池（単二電池７と単三電池８）を同時に使用するのを防ぐことができる。また、単二電池収納部１５と単三電池収納部１６で空間を共有することにより、省スペース化や小型化を図ることができる。
【００３９】
また、本実施の形態では、単三電池収納部１６の上面の凹形状の中心角が大きく設定され、単三電池収納部１６に単三電池８を収納したときに、単三電池収納部１６の上面の凹形状に単三電池８が包み込まれるようになる。これにより、単三電池収納部１６による単三電池８の保持力を高くすることができる。
【００４０】
（第２の実施の形態）
本発明の第２の実施の形態の電子機器について、図１６〜図２７を用いて説明する。ここでは、第１の実施の形態と相違する点を中心に説明する。したがって、ここで特に言及しない限り、第２の実施の形態の構成および動作は、第１の実施の形態と同様である。
【００４１】
本実施の形態の電子機器１では、電池収納ボックス３が機器本体２に対して固定されるボックス固定位置と、電池収納ボックス３を機器本体２に着脱することが可能なボックス着脱位置との間で、電池収納ボックス３がスライド可能に構成されている。以下、この本実施の形態の特徴的な構成について、図面を参照しながら説明する。
【００４２】
図１６および図１７は、本実施の形態の電子機器１（機器本体２と電池収納ボックス３）の分解斜視図であり、図１８は、機器本体２と電池収納ボックス３の平面図である。図１６〜図１８に示すように、ボックス収納部４の一方の側壁（正端子９が設けられたのと同じ側の側壁）には、第１突片部２２が突出して設けられている。正端子９は、金属製の板バネで構成されており、電池収納ボックス３は、この板バネの弾性力によって取り外し方向（この場合には、上方向）に付勢されている（図２０および図２１参照）。そして、この第１突片部２２は、電池収納ボックス３をボックス固定位置にしたときに、板バネの弾性力に抗して電池収納ボックス３を押さえるように設けられている。なお、第１突片部２２によって電池収納ボックス３を押さえるときの動作については、図２３を用いて後述する。
【００４３】
図１６および図１７に示すように、電池収納ボックス３には、電池収納ボックス３をボックス着脱位置にしたときに、第１突片部２２が通過するような位置（つまり、第１突片部２２が干渉しないような位置）にスリット２３が設けられている。このスリット２３は、電池収納ボックス３を裏返してボックス収納部４に収納するときに、正端子９が通過するような位置（つまり、正端子９が干渉しないような位置）に設けられている。
【００４４】
図１７および図１８に示すように、ボックス収納部４の他方の側壁（正端子９が設けられたのと反対側の側壁）には、第２突片部２４が突出して設けられている。一方、図１６に示すように、電池収納ボックス３には、この第２突片部２４が挿入されるＬ字スリット２５が設けられている。この第２突片部２４は、電池収納ボックス３をボックス固定位置にしたときに、板バネの弾性力に抗して電池収納ボックス３を押さえるように設けられている。なお、第２突片部２４によって電池収納ボックス３を押さえるときの動作については、図２４を用いて後述する。
【００４５】
また、図１７および図１８に示すように、ボックス収納部４の正極側の側壁（収納した電池６の正極側に対応する側壁）には、第３突片部２６が突出して設けられている。一方、図１６に示すように、電池収納ボックス３には、この第３突片部２６が係止される段部２７が設けられている。この第３突片部２６も、電池収納ボックス３をボックス固定位置にしたときに、板バネの弾性力に抗して電池収納ボックス３を押さえるように設けられている。なお、第３突片部２６によって電池収納ボックス３を押さえるときの動作についても、図２５を用いて後述する。
【００４６】
図１８に示すように、ボックス収納部４の一方の側壁（正端子９が設けられたのと同じ側の側壁）には、電池収納ボックス３を固定するための２つの固定ガイド部２８が突出して設けられている。一方、図１７に示すように、電池収納ボックス３には、これらの２つの固定ガイド部２８に対応する形状の２つの被ガイド部２９が設けられている。固定ガイド部２８は、傾斜ガイド面３０と固定面３１を有しており、被ガイド部２９は、傾斜ガイド面３０に対応する斜面形状の被ガイド面３２と、固定面３１に対応する形状の被固定面３３を有している（図２６参照）。そして、電池収納ボックス３がボックス着脱位置のときには、固定ガイド部２８と電池収納ボックス３との間に遊びが設けられており、電池収納ボックス３をボックス固定位置にすると、固定ガイド部２８と電池収納ボックス３との間に遊びが設けられていない。なお、この固定ガイド部２８によって、電池収納ボックス３を固定するときの動作については、図２６を用いて後述する。
【００４７】
また、機器本体２には、電池収納ボックス３を覆うカバー５が取り付けられる（図２７参照）。このカバー５の裏面には、第１斜面部３４を有するガイドリブ３５が下側に向けて突出して設けられている。一方、電池収納ボックス３には、この第１斜面部３４に対応する形状の第２斜面部３６が設けられている。これらの第１斜面部３４と第２斜面部３６は、カバー５を閉めるときに互いに当接し、カバー５を閉める向きの力を、ボックス着脱位置からボックス固定位置へ電池収納ボックス３をスライドさせる向きの力に変換するように構成されている。なお、この第１斜面部３４と第２斜面部３６によって、カバー５を閉めるときに電池収納ボックス３がスライドするときの動作については、図２８を用いて後述する。
【００４８】
以上のように構成された電子機器１について、図面を用いてその動作を説明する。ここでは、第２の実施の形態の特徴的な動作を中心に説明する。
【００４９】
まず、電池収納ボックス３を機器本体２に取り付けるときの動作について説明する。電池収納ボックス３を取り付けるときには、機器本体２のボックス収納部４に電池収納ボックス３を入れる。その結果、電池収納ボックス３は、ボックス着脱位置にセットされることになる。このとき、図１９および図２０に示すように、電池収納ボックス３は、正端子９のバネ弾性力を受けて少し浮いた状態になる。つぎに、正端子９のバネ弾性力に抗して電池収納ボックス３を押し込んだ状態で（図２１参照）、電池収納ボックス３を正極側へスライドさせる（図２２参照）。このようにして、電池収納ボックス３は、ボックス固定位置にセットされる。
【００５０】
このように、電池収納ボックス３をボックス着脱位置からボックス固定位置へスライドさせると、電池収納ボックス３は、３つの突片部（第１突片部２２、第２突片部２４、第３突片部２６）によって３点で押さえられるようになる。以下、図２３〜図２５を参照して、このときの動作を説明する。
【００５１】
図２３は、電池収納ボックス３をボックス着脱位置からボックス固定位置にスライドさせたときに、第１突片部２２で電池収納ボックス３を押さえる動作の説明図である。図２３（ａ）に示すように、ボックス着脱位置において電池収納ボックス３を押し込むと、電池ボックスの上面が第１突片部２２より下側に位置するようになる。なお、このとき、第１突片部２２はスリット２３の中を通過し、第１突片部２２が電池収納ボックス３に接触しない（干渉しない）ようになっている。その後、図２３（ｂ）に示すように、電池収納ボックス３をボックス固定位置までスライドさせると、第１突片部２２が電池収納ボックス３の上面に係止するようになり、第１突片部２２によって電池収納ボックス３が押さえられる。
【００５２】
図２４は、電池収納ボックス３をボックス着脱位置からボックス固定位置にスライドさせたときに、第２突片部２４で電池収納ボックス３を押さえる動作の説明図である。図２４（ａ）に示すように、ボックス着脱位置において電池収納ボックス３を押し込むと、Ｌ字スリット２５の水平部が第２突片部２４より下側に位置するようになる。なお、このとき、第２突片部２４はＬ字スリット２５の中を通過し、第２突片部２４が電池収納ボックス３に接触しない（干渉しない）ようになっている。その後、図２４（ｂ）に示すように、電池収納ボックス３をボックス固定位置までスライドさせると、第２突片部２４がＬ字スリット２５の水平部に係止するようになり、第２突片部２４によって電池収納ボックス３が押さえられる。
【００５３】
図２５は、電池収納ボックス３をボックス着脱位置からボックス固定位置にスライドさせたときに、第３突片部２６で電池収納ボックス３を押さえる動作の説明図である。図２５（ａ）に示すように、ボックス着脱位置において電池収納ボックス３を押し込むと、電池収納ボックス３の段部２７が第３突片部２６より下側に位置するようになる。なお、このとき、第３突片部２６は段部２７に接触しない（干渉しない）ようになっている。その後、図２５（ｂ）に示すように、電池収納ボックス３をボックス固定位置までスライドさせると、第３突片部２６が段部２７に係止するようになり、第３突片部２６によって電池収納ボックス３が押さえられる。
【００５４】
また、電池収納ボックス３をボックス着脱位置からボックス固定位置へスライドさせると、電池収納ボックス３は、固定ガイド部２８によって固定されるようになる。以下、図２６を参照して、このときの動作を説明する。
【００５５】
図２６は、電池収納ボックス３をボックス着脱位置からボックス固定位置に移動させたときに、固定ガイド部２８で電池収納ボックス３が固定される動作の説明図である。図２６（ａ）に示すように、電池収納ボックス３がボックス着脱位置のときには、固定ガイド部２８と電池収納ボックス３との間に遊びがある。そして、図２６（ｂ）に示すように、電池収納ボックス３を電池収納ボックス３をボックス固定位置までスライドすると、固定ガイド部２８の傾斜ガイド面３０が被ガイド部２９の被ガイド面３２に接触して、電池収納ボックス３をスライドさせる力によって、電池収納ボックス３がボックス収納部４の壁部に押し付けられ、固定ガイド部２８の固定面３１と被ガイド部２９の被固定面３３が当接するようになる。このようにして、固定ガイド部２８と電池収納ボックス３との間に遊びがなくなり、固定ガイド部２８によって電池収納ボックス３が固定される。
【００５６】
このように、電池収納ボックス３をボックス着脱位置からボックス固定位置へスライドさせると、電池収納ボックス３はボックス収納部４に固定されるが、本実施の形態では、電池収納ボックス３をユーザが手動でスライドさせなくても（例えば、スライドさせるのを忘れても）、カバー５を閉じるだけで、電池収納ボックスがボックス着脱位置からボックス固定位置へ自動的にスライドするようになっている。以下、図２７および図２８を参照して、このときの動作を説明する。
【００５７】
図２７は、電池収納ボックス３をボックス着脱位置にセットしたときの電子機器１（機器本体２とカバー５）の分解斜視図であり、図２８は、カバー５を閉めたときに、電池収納ボックス３がボックス着脱位置からボックス固定位置にスライドする動作の説明図である。図２７に示すように、電池収納ボックス３をボックス着脱位置にセットした状態で、カバー５を被せるときには、カバー５を手前側から奥側に向けてスライドさせる。図２８（ａ）に示すように、カバー５が手前側にあるとき（カバー５を閉じる前）には、カバー５の裏面の第１斜面部３４と電池収納ボックス３の第２傾斜部は接触していない。その後、カバー５を手前側から奥側に向けてスライドさせると、第１斜面部３４と第２斜面部３６が接触して、カバー５を閉める向きの力が、ボックス着脱位置からボックス固定位置へ電池収納ボックス３をスライドさせる向きの力に変換される。つまり、カバー５を閉じる力によって、電池収納ボックス３がボックス着脱位置からボックス固定位置へスライドする。そして、カバー５が閉じられたときには、図２８（ｂ）に示すように、電池収納ボックス３のボックス固定位置へのスライドが完了する。
【００５８】
つぎに、電池収納ボックス３を機器本体２から取り外すときの動作について説明する。電池収納ボックス３を取り外すときには、上述の手順を逆の流れで行う。つまり、電池収納ボックス３のカバー５を開けて、電池収納ボックス３をボックス固定位置からボックス着脱位置へスライドさせる。このように、電池収納ボックス３をスライドさせると、固定ガイド部２８と電池収納ボックス３との間に遊びができるとともに、３つの突片部（第１突片部２２、第２突片部２４、第３突片部２６）による押さえが解除されて、電池収納ボックス３が正端子９のバネ弾性力によって上向き（取り外し方向）に浮き上がり、電池収納ボックス３を容易に取り外しできるようになる。
【００５９】
このような本発明の第２の実施の形態の電子機器１によっても、第１の実施の形態と同調の作用効果が奏される。
【００６０】
その上、本実施の形態では、電池収納ボックス３をボックス着脱位置にしたときには、正端子９の弾性力によって電池収納ボックス３が取り外し方向へ付勢されるので、電池収納ボックス３の取り外しが容易になる。一方、電池収納ボックス３をボックス固定位置にしたときには、電池収納ボックス３が押さえ部によって押さえられ、機器本体２に対してしっかり固定される。
【００６１】
また、本実施の形態では、電池収納ボックス３をボックス着脱位置にしてボックス収納部４に収納するときには、突片部がスリット２３を通り、突片部が電池収納ボックス３に干渉するのを防ぐことができる。そして、電池収納ボックス３をボックス固定位置にしたときには、この突片部によって電池収納ボックス３が押さえられる。また、電池収納ボックス３を反対側にしてボックス収納部４へ収納するときには、このスリット２３を正端子９が通り、正端子９が電池収納ボックス３に干渉するのを防ぐことができる。
【００６２】
また、本実施の形態では、電池収納ボックス３のカバー５を閉める力を利用して、電池収納ボックス３をボックス着脱位置からボックス固定位置へ移動させることができる。したがって、カバー５を閉めるだけで、電池収納ボックス３を機器本体２に対して固定することができる。そのため、例えば、電池収納ボックス３をボックス固定位置へ移動させるのを忘れてしまったときでも、カバー５を閉めると自動的に電池収納ボックス３をボックス固定位置へ移動させることができる。
【００６３】
また、本実施の形態では、電池収納ボックス３をボックス着脱位置にしたときには、ボックス収納部４の壁部と電池収納ボックス３との間に遊びが設けられ、電池収納ボックス３を容易に取り外すことができる。一方、電池収納ボックス３をボックス固定位置にしたときには、ボックス収納部４の壁部と電池収納ボックス３との間に遊びがなくなり、電池収納ボックス３が機器本体２に対してしっかり固定される。
【００６４】
以上、本発明の実施の形態を例示により説明したが、本発明の範囲はこれらに限定されるものではなく、請求項に記載された範囲内において目的に応じて変更・変形することが可能である。
【００６５】
例えば、以上の説明では、第１の電池として単一電池、第２の電池として単二電池、第３の電池として単三電池を用いた例について説明したが、本発明の範囲はこれに限定されるものではなく、単四電池や単五電池などの他の種類の電池が用いられてもよい。
【産業上の利用可能性】
【００６６】
以上のように、本発明にかかる電子機器は、部品点数が少なく、電池を交換する際の作業性を向上することができるという効果を有し、災害時用のラジオ装置等として有用である。
【図面の簡単な説明】
【００６７】
【図１】第１の実施の形態における電子機器と単一電池の分解斜視図
【図２】機器本体と電池収納ボックス（単一電池収納側）の分解斜視図
【図３】単一電池を収納する様子を示す分解斜視図
【図４】単一電池を収納した状態を示す平面図
【図５】単一電池を収納した状態を示す側面図
【図６】第１の実施の形態における電子機器と単二電池、単三電池の分解斜視図
【図７】機器本体と電池収納ボックス（単二単三電池収納側）の分解斜視図
【図８】単二電池を収納する様子を示す分解斜視図
【図９】単二電池を収納した状態を示す平面図
【図１０】単二電池を収納した状態を示す側面図
【図１１】単三電池を収納する様子を示す分解斜視図
【図１２】単三電池を収納した状態を示す平面図
【図１３】単三電池を収納した状態を示す側面図
【図１４】電池収納ボックス（単一電池と単二電池の干渉）の説明図
【図１５】電池収納ボックス（単二電池と単三電池の干渉）の説明図
【図１６】第２の実施の形態における電子機器（機器本体と電池収納ボックス）の分解斜視図
【図１７】図１６とは反対側からみたときの電子機器（機器本体と電池収納ボックス）の分解斜視図
【図１８】機器本体と電池収納ボックスの平面図
【図１９】電池収納ボックスをボックス着脱位置にしたときの電子機器（機器本体と電池収納ボックス）の斜視図
【図２０】電池収納ボックスをボックス着脱位置にしたときの電子機器（電池収納ボックスが浮いた状態）の断面図
【図２１】電池収納ボックスをボックス着脱位置にしたときの電子機器（電池収納ボックスを押し込んだ状態）の断面図
【図２２】電池収納ボックスをボックス固定位置にしたときの電子機器（機器本体と電池収納ボックス）の斜視図
【図２３】電池収納ボックスをボックス着脱位置からボックス固定位置にスライドさせたときに、第１突片部で電池収納ボックスを押さえる様子の説明図
【図２４】電池収納ボックスをボックス着脱位置からボックス固定位置にスライドさせたときに、第２突片部で電池収納ボックスを押さえる様子の説明図
【図２５】電池収納ボックスをボックス着脱位置からボックス固定位置にスライドさせたときに、第３突片部で電池収納ボックスを押さえる様子の説明図
【図２６】電池収納ボックスをボックス着脱位置からボックス固定位置に移動させたときに、固定ガイド部で電池収納ボックスが固定される様子の説明図
【図２７】電池収納ボックスをボックス着脱位置にセットしたときの電子機器（機器本体とカバー）の分解斜視図
【図２８】カバーを閉めたときに、電池収納ボックスがボックス着脱位置からボックス固定位置にスライドする様子の説明図
【符号の説明】
【００６８】
１  電子機器
２  機器本体
３  電池収納ボックス
４  ボックス収納部
６  単一電池
７  単二電池
８  単三電池
９  正端子
１０  単一単二用の負端子
１１  単三用の負端子
１２  単一電池収納部
１３  単一用接続端子
１４  単一用切欠き部
１５  単二電池収納部
１６  単三電池収納部
１８  単二用接続端子
１９  単二用切欠き部
２０  単三用接続端子
２１  単三用切欠き部
２２  第１突片部
２３  スリット
２４  第２突片部
２５  Ｌ字スリット
２６  第３突片部
２７  段部
２８  固定ガイド部
２９  被ガイド部
３０  傾斜ガイド面
３１  固定面
３２  被ガイド面
３３  被固定面
３４  第１斜面部
３５  ガイドリブ
３６  第２斜面部
【図１】
2010165541.tif 000003
【図２】
2010165541.tif 000004
【図３】
2010165541.tif 000005
【図４】
2010165541.tif 000006
【図５】
2010165541.tif 000007
【図６】
2010165541.tif 000008
【図７】
2010165541.tif 000009
【図８】
2010165541.tif 000010
【図９】
2010165541.tif 000011
【図１０】
2010165541.tif 000012
【図１１】
2010165541.tif 000013
【図１２】
2010165541.tif 000014
【図１３】
2010165541.tif 000015
【図１４】
2010165541.tif 000016
【図１５】
2010165541.tif 000017
【図１６】
2010165541.tif 000018
【図１７】
2010165541.tif 000019
【図１８】
2010165541.tif 000020
【図１９】
2010165541.tif 000021
【図２０】
2010165541.tif 000022
【図２１】
2010165541.tif 000023
【図２２】
2010165541.tif 000024
【図２３】
2010165541.tif 000025
【図２４】
2010165541.tif 000026
【図２５】
2010165541.tif 000027
【図２６】
2010165541.tif 000028
【図２７】
2010165541.tif 000029
【図２８】
2010165541.tif 000030